(57)【特許請求の範囲】
【請求項１】
上方に開口部がある容器本体と，
前記容器本体に取り付けられ，支持軸まわりに回転する煽り動作により，前記開口部を閉鎖する閉位置と，開放する開位置とをとる蓋部材とを有し，
前記開位置での前記蓋部材が前記容器本体の外部にある収納容器において，
前記蓋部材における前記閉位置にて前記容器本体の内部側となる内側面には，
前記支持軸に近い側から遠い側に向かう方向に突出して形成された袋掛け形状部と， 前記閉位置にて前記開口部の内面に嵌合する周リブ形状部とが設けられており，
前記袋掛け形状部は，前記周リブ形状部に対して形成されるとともに，前記内側面に対して間隔を持って配置されていることを特徴とする収納容器。
【請求項２】
請求項１に記載の収納容器において，
前記内側面と前記袋掛け形状部との間に位置し，前記内側面と前記袋掛け形状部と前記周リブ形状部とのいずれにも繋がる補強リブ形状部を有し，
前記袋掛け形状部は，前記支持軸に近い側から遠い側に向かう方向に，前記補強リブ形状部の先端よりもさらに突出して形成されていることを特徴とする収納容器。
【請求項３】
請求項１または請求項２に記載の収納容器において，
前記袋掛け形状部には，
前記支持軸の方向における両端に位置する端部と，
前記端部と端部との間に位置する中央部とが含まれており，
前記支持軸に近い側から遠い側に向かう突出量に関して，前記端部の方が前記中央部より大きいことを特徴とする収納容器。
【発明の詳細な説明】
【技術分野】
【０００１】
本発明は，種々の物品を収納する収納容器に関する。さらに詳細には，容器本体の内部に可撓性シート部材による袋を取り付けた状態とし，その袋の中に物品を収納する形で使用される収納容器に関するものである。
【背景技術】
【０００２】
従来から，一定の形状の構造体である収納容器を，その内部に袋を取り付けた状態で使用することがある。その場合，収納対象物である物品は，袋の内部に収納されることとなる。これにより，収納した物品を収納容器から出す場合に，収納している全部の物品を袋ごとまとめて取り出すことができる。その後はまた新たな袋を取り付けて次回の物品の収納に備えることとなる。
【０００３】
このような使い方をされる収納容器の例として，特許文献１に記載されている梱包具の「外装箱」が挙げられる。同文献の「外装箱」では，その一部に「引っ掛け部」を有することとしている（同文献の請求項１等）。この「引っ掛け部」は，同文献の図１中に「４突起」として描かれているように，容器本体の開口縁付近に設けられている（同文献の［０００９］をも参照）。
【先行技術文献】
【特許文献】
【０００４】
【特許文献１】特許第５００９６９９号公報
【発明の概要】
【発明が解決しようとする課題】
【０００５】
しかしながら前記した従来の技術には，次に述べる問題点があった。すなわち，特許文献１における「引っ掛け部」（突起４）が形成される位置は，上記のように容器本体の開口縁付近である。しかしこの場所は，突起形状を形成する上でかなり制約の多い場所である。なぜならこの場所は，「蓋板１ａ」が軸支される場所でもある（同文献の図１，特に４Ｌと４Ｓとのうち４Ｌの方）。すなわちこの場所には，蓋板を開閉動作可能な状態で取り付けるための構造も形成されなければならないのである。同文献では，「蓋板１ａ」の取り付け構造は具体的に開示されていないが，取り付け構造と干渉しない範囲内で「突起４」を形成しなければならないので，これは制約である筈である。
【０００６】
また，「突起４」に袋を取り付ける作業をする上で，「蓋板１ａ」の存在が作業者には邪魔に感じられる筈である。突起４（特に４Ｌ）のすぐ近くに「蓋板１ａ」が存在するからである。さらに，同文献の「突起４」には，取り付けたはずの袋が外れやすいという問題点もある。「突起４」への袋の取り付けは，袋の「取っ手３ａ」をそこに引っ掛けることによりなされる（同文献の［００１３］）。「取っ手３ａ」は通常，必要最小限の長さよりもある程度余裕のある長さに形成されていると考えられる。一方，「突起４」は常時上を向いた形状の箇所であると解される。そのため，特に「突起４」が「蓋板１ａ」に覆われていない開蓋状態では，「取っ手３ａ」が「突起４」から簡単に外れてしまうと解される。
【０００７】
本発明は，前記した従来の技術が有する問題点を解決するためになされたものである。すなわちその課題とするところは，内部に袋を取り付けて使用する収納容器であって，開閉する蓋の取り付け構造による制約を受けることがない位置に引っ掛け形状部を有し，取り付けた袋が簡単に外れてしまうことのない収納容器を提供することにある。
【課題を解決するための手段】
【０００８】
本発明の一態様における収納容器は，上方に開口部がある容器本体と，容器本体に取り付けられ，支持軸まわりの煽り動作により，開口部を閉鎖する閉位置と，開放する開位置とをとる蓋部材とを有し，開位置での蓋部材が容器本体の外部にある収納容器であって，その蓋部材には，支持軸に近い側から遠い側に向かう方向に突出して形成された袋掛け形状部が設けられており，袋掛け形状部は，蓋部材における，閉位置にて容器本体の内部側となる内側面に形成されるとともに，内側面に対して間隔を持って配置されている。
【０００９】
上記態様における収納容器は，内部に袋を装着した状態で使用することができる。袋を装着するときには，蓋部材を開いて，蓋部材が容器本体の外部にある状態とする。その状態にて，袋の取っ手部を蓋部材の袋掛け形状部に引っ掛ける。ここで，袋掛け形状部は，蓋部材の内側面に，支持軸に近い側から遠い側に向かう方向に突出して形成されている。このため，袋を袋掛け形状部に引っ掛ける作業において，支持軸等の蓋部材の取り付け構造が邪魔になることはない。また，袋掛け形状部と内側面との間に間隔が設けられているので，袋の取っ手部を収納できるスペースが確保されている。このため，袋掛け作業がやりやすい。また，袋掛け形状部は，蓋部材の開閉動作を通じても，容器本体の内部で下向きになることがない。このため，袋掛け形状部から袋が勝手に外れてしまうことはない。
【００１０】
上記態様の収納容器では，蓋部材の内側面には，閉位置にて開口部の内面に嵌合する周リブ形状部が形成されており，袋掛け形状部は，周リブ形状部に対して形成されている。このような構成であることにより，剛性確保のために設けられる周リブ形状部をうまく利用して袋掛け形状部を形成できる。
【００１１】
この場合にさらに，内側面と袋掛け形状部との間に位置し，内側面と袋掛け形状部と周リブ形状部とのいずれにも繋がる補強リブ形状部を有し，袋掛け形状部は，支持軸に近い側から遠い側に向かう方向に，補強リブ形状部の先端よりもさらに突出して形成されているとよい。これにより，袋掛け形状部を補強しつつ，内側面と袋掛け形状部との間に，袋の取っ手部を収納するスペースを確保できる。
【００１２】
また，本発明の一態様における収納容器ではさらに，袋掛け形状部に，支持軸の方向における両端に位置する端部と，端部と端部との間に位置する中央部とが含まれていることが好ましい。これにより，袋掛け形状部が支持軸の方向にある程度のサイズを持つので，装着する袋の開口が大きく口を開くこととなる。このため収納物を投入しやすい。また，支持軸に近い側から遠い側に向かう突出量に関して，端部の方が中央部より大きくなっていた方がよい。こうなっていると，装着している袋を取り外すときに，袋掛け形状部の背後の取っ手部に指を掛けやすく，かつ，取っ手部が勝手に袋掛け形状部から外れてしまうこともない。
【００１３】
上記の収納容器ではさらに，開口部に，互いに対向する第１辺部と第２辺部とが含まれており，蓋部材として，第１辺部側に取り付けられた第１蓋部材と，第２辺部側に取り付けられた第２蓋部材とを有し，第１蓋部材と第２蓋部材とのいずれにも，袋掛け形状部が形成されていることが好ましい。このようになっていると，装着している袋は，両側の袋掛け形状部に保持され，開口部が大きく口を開くことになる。このため収納物を投入しやすい。
【００１４】
上記の収納容器ではさらに，蓋部材以外の部分である容器本体が，収納物を収納する伸開姿態と，折り畳まれた折り畳み姿態とをとる構成のものであり，容器本体中の，折り畳み姿態としたときに蓋部材の裏面の直近に位置するこことなる部材には，折り畳み姿態にて袋掛け形状部と干渉することを防止する干渉防止形状部が形成されていることが好ましい。
【発明の効果】
【００１５】
本構成によれば，内部に袋を取り付けて使用する収納容器であって，開閉する蓋の取り付け構造による制約を受けることがない位置に引っ掛け形状部を有し，取り付けた袋が簡単に外れてしまうことのない収納容器が提供されている。
【図面の簡単な説明】
【００１６】
【図１】実施の形態に係る収納容器の全体外形を示す斜視図である。
【図２】図１の収納容器の蓋部材を開いた状態を示す斜視図である。
【図３】図１の収納容器の蓋部材を単独状態で示す斜視図である。
【図４】蓋部材の一部分を図３とは違う方向から見た斜視図である。
【図５】蓋部材の断面図である。
【図６】実施の形態に係る収納容器の内部に取り付けられる袋の例を示す斜視図である。
【図７】図２の開状態の収納容器に図６の袋を装着した状態を示す斜視図である。
【図８】蓋部材における引っ掛け爪付近の部分の，袋の取っ手部が引っ掛けられた状態を示す断面図（その１）である。
【図９】引っ掛け爪付近の部分の，袋の取っ手部が引っ掛けられた状態を示す断面図（その２）である。
【図１０】引っ掛け爪付近の部分の，袋の取っ手部が引っ掛けられた状態を示す断面図（その３）である。
【図１１】実施の形態に係る収納容器の折り畳み状態での全体外形を示す斜視図である。
【図１２】実施の形態に係る収納容器の折り畳み動作の途中の状態を概略的に示す側面断面図である。
【図１３】実施の形態に係る収納容器の折り畳み動作の途中の状態を概略的に示す正面断面図である。
【図１４】折り畳んだ状態での収納容器の内部の様子を示す切断斜視図である。
【図１５】変形例に係る引っ掛け爪の形状を示す斜視図（図３相当）である。
【図１６】変形例に係る収納容器の全体外形を概略的に示す斜視図である。
【発明を実施するための形態】
【００１７】
以下，本発明を具体化した実施の形態について，添付図面を参照しつつ詳細に説明する。本形態は，図１に示す収納容器１に本発明を適用したものである。図１の収納容器１は，全体として直方体状の外形をなしている。収納容器１における図中上側の面は，蓋部材２とされている。
【００１８】
図２に，蓋部材２を開いた状態での収納容器１を示す。図２に示されるように，収納容器１のうち蓋部材２以外の部分は基本的に，上面（図２中矢印Ａの高さレベル）が開口部となっているバスタブ形状の構造体である。収納容器１の開口部は長方形状である。その対向する第１辺３０と第２辺４０とにそれぞれ，蓋部材２が取り付けられている。図１の閉状態では２枚の蓋部材２により開口部が閉じられている。以下，収納容器１のうち蓋部材２以外の部分を，容器本体３という。容器本体３は，開口部をなす上枠体５０，正面及び背面をなす正面板５１，側面をなす上板５２および下板５３，底面をなす底板体５４，により構成されている。開いた状態での蓋部材２は，容器本体３の外部にある。
【００１９】
図３に，蓋部材２を示す。図３に示される蓋部材２は，容器本体３に取り付けられる前の単独状態でのものである。蓋部材２における図３に見えている面は，容器本体３に取り付けられ，かつ閉状態とされたときに収納容器１の内面側を向く面である。以下，蓋部材２におけるこの面を裏面２９という。図２中の右手前側に見えている蓋部材２の面もこの裏面２９である。蓋部材２は，図３に明らかなように，ほぼ長方形状の平板部材である。蓋部材２における図３中の下側の縁辺２０が，容器本体３に取り付けた状態でその開口部の第１辺３０または第２辺４０に沿って配置される辺である。この縁辺２０に沿って，支持軸２１が設けられている。
【００２０】
一方，容器本体３の第１辺３０，第２辺４０には，軸受け部３１，４１が設けられている（図１，図２参照）。蓋部材２を容器本体３に取り付けた状態では，支持軸２１が軸受け部３１，４１に保持されている。これにより，容器本体３に取り付けられた状態での蓋部材２が，第１辺３０または第２辺４０を中心に煽り動作をすることができるようになっている。本形態では，図１の閉状態から図２の完全な開状態に至るまでの蓋部材２の回転角度は２７０°近くに及ぶ。この煽り動作はむろん，ユーザーの手動操作による。
【００２１】
蓋部材２について図３によりさらに説明する。蓋部材２の裏面２９には，その外縁に沿って，周リブ２２が形成されている。周リブ２２は，縁辺２０と，その両隣の辺との３辺にわたって形成されている低い壁状の形状の箇所である。周リブ２２は，蓋部材２を図１の閉状態にしたときに容器本体３の開口部の内面にちょうどはまる外寸にされている。２枚の蓋部材２の周リブ２２を合わせて，開口部全体の内面にはまる長方形をなすようになっている。そして，周リブ２２における縁辺２０に沿う部分に対して，引っ掛け爪２３が形成されている。引っ掛け爪２３は，周リブ２２に対して内側向きに，すなわち，支持軸２１から遠ざかる向きに突出して形成された平板状の部分である。
【００２２】
引っ掛け爪２３は図４に示されるように，周リブ２２の頂部に設けられている。このため引っ掛け爪２３は，裏面２９との間にある程度の間隔を持って配置されている。その間隔は，周リブ２２の高さとほぼ同じ程度である。図３に戻って，各引っ掛け爪２３には，支持軸２１の方向における両端に位置する端部２３０と，端部２３０と端部２３０との間に位置する中央部２３１とが含まれている。図３で見ると，端部２３０の方が中央部２３１よりも出っ張って見え，両隣の端部２３０に対して中央部２３１が凹部をなしているように見える。つまり，支持軸２１に近い側から遠い側に向かう突出量に関して，端部２３０の方が中央部２３１より大きいのである。
【００２３】
さらに，引っ掛け爪２３と裏面２９との間には，縦方向の補強リブ２４が形成されている。補強リブ２４は，裏面２９と引っ掛け爪２３と周リブ２２とのいずれにも繋がって形成されている。図５に，蓋部材２の断面図を示す。図５に示す断面図は，蓋部材２の，図３中のＢ−Ｂ位置における断面図である。図５から分かるように，補強リブ２４の，周リブ２２から内側方向への長さＨ１は，引っ掛け爪２３の中央部２３１の内側方向への長さＨ２より小さい。
【００２４】
上記の構成を有する収納容器１は，図６に示すような袋９０を内部に装着して使用する。収納物（各種の部品や小物品等，廃品やゴミであってもよい）は，袋９０の中に収納される。袋９０は，開口側に取っ手部９１を有している。袋９０の取っ手部９１を含めた全体は，シート状の素材により形成されており可撓性である。材質は，主としてポリエチレンや塩化ビニルその他の合成樹脂であるが，紙や布であってもかまわない。取っ手部９１は，図６中の矢印Ｃのところが窓状にくり抜かれたリング状の部分である。ただし，窓状のくり抜きは必須ではなく，次で述べるように取っ手部９１を引っ掛け爪２３に引っ掛けることが可能であればよい。
【００２５】
図７に，収納容器１に袋９０を装着した状況を示す。図７に示す状態では，蓋部材２は図２に示した開状態とされており，その蓋部材２の引っ掛け爪２３に袋９０の取っ手部９１が引っ掛けられている。つまり引っ掛け爪２３は，袋９０の取っ手部９１を引っ掛けるための袋掛け形状部である。なお，図７では収納容器１における図中左手前側に１枚の袋９０が装着されているだけであるが，この状態に対してさらにあと２枚の袋９０を装着することができる。
【００２６】
図７の状態での引っ掛け爪２３と取っ手部９１との関係を拡大して図８に示す。ここで，図５で説明した長さＨ１と長さＨ２との関係から，引っ掛け爪２３には，取っ手部９１が外れないように留め置くだけの十分な有効長（Ｈ２−Ｈ１）がある。また，図４で説明したように，引っ掛け爪２３と裏面２９との間には，周リブ２２の高さ程度の間隔が確保されている。このため，引っ掛け爪２３と裏面２９との間には，補強リブ２４の存在を考慮してもなお，取っ手部９１を収めるに十分なスペースがある。したがって，取っ手部９１を引っ掛けやすい。
【００２７】
また，図８の状態では，蓋部材２の引っ掛け爪２３は，容器本体３の外部に位置して，そこで下向きになっている。このため袋９０の取っ手部９１は，支持軸２１がある辺りの上を通って引っ掛け爪２３に達し，引っ掛けられている。図８では図示を省略しているが実際のこの状態では，支持軸２１がある辺りおよびその下方には，軸受け部３１（または４１）を始めとする容器本体３側の構造物が存在する。取っ手部９１はこれらを乗り越えて引っ掛け爪２３に達しているのである。このため取っ手部９１は，袋９０の本体部分と引っ掛け爪２３とにより両方から引っ張られるに近い状態となっている。したがって，一旦引っ掛け爪２３に引っ掛けられた取っ手部９１が，独りでに引っ掛け爪２３から外れてしまうようなことは起こりにくい。
【００２８】
図８のように引っ掛け爪２３に袋９０の取っ手部９１を引っ掛けてから蓋部材２を閉じると，図９の状態となる。図９の状態では引っ掛け爪２３は，蓋部材２の板面よりも収納容器１の内部側にあるが，下向きになる訳でなくほぼ水平になっている。そしてこの状態で取っ手部９１に引っ張り力が作用するとすれば，その原因は，袋９０（およびその内容物）の重力くらいしかない。よって引っ張り力はほぼまっすぐ下向きに作用し，水平には作用しない。このためやはり，取っ手部９１が，独りでに引っ掛け爪２３から外れてしまうようなことは起こりにくい。なお，この状態では外観は図１と変わらない。したがって，収納容器１の全部が不透明な材質で形成されており窓もない場合には，袋９０が装着されているか否かを外観で判別することはできない。
【００２９】
蓋部材２の開閉動作の途中では，図１０に示すように引っ掛け爪２３が上向きになるタイミングがある。しかしこの状態で取っ手部９１に掛かる可能性がある引っ張り力は下向きである。このためこの状態でも，取っ手部９１が独りでに引っ掛け爪２３から外れてしまうようなことはない。結局，蓋部材２の開閉動作におけるどの状態でも，取っ手部９１が独りでに引っ掛け爪２３から外れてしまうようなことはない。引っ掛け爪２３が収納容器１の内部にて下向きになることがないからである。
【００３０】
次に，本形態における引っ掛け爪２３の形状の効果を説明する。ここでいう引っ掛け爪２３の形状とは，図３に示した端部２３０および中央部２３１のことである。引っ掛け爪２３は，このような形状であることにより必然的に，支持軸２１の方向にある程度の長さを持つことになる。このため図７に示される袋９０の開口は，左右両側の蓋部材２の引っ掛け爪２３により左右方向に広げられるだけでなく，図７中の奥行き方向にも広げられることになる。このようにして袋９０の開口は，略長方形状に大きく口を開けた状態で収納容器１に装着されるのである。このため，装着されている袋９０への収納物の投入がやりやすい。
【００３１】
また，前述のように端部２３０よりも中央部２３１がやや凹んでいることは，装着している袋９０を取り外すときに便利である。袋９０を取り外すときには，引っ掛け爪２３の背後に進入している取っ手部９１に指を掛けて引きずり出す必要がある。中央部２３１が凹んでいることにより，この指掛けがやりやすいのである。それでいて，両端の端部２３０は出っ張っているので，取っ手部９１が独りでに引っ掛け爪２３から外れてしまうようなことは起こりにくい。
【００３２】
次に，収納容器１の折り畳み機能との関係を説明する。ここまでの説明では言及しなかったが，図１の収納容器１は，空荷の状態では，図１１に示すコンパクトな姿態に折り畳むことができる。図１１の折り畳み姿態では厚さが，ほぼ，上枠体５０と底板体５４との合計厚のみである。この折り畳み機能のため図１の収納容器１においては，正面板５１の下部を内向きに押し込むことができるようになっている。また，側面板が上板５２と下板５３との分割構成になっている。いずれも，図１中の背後側においても同様である。
【００３３】
収納容器１を折り畳むときには，正面板５１の下部をやや強めに内向きに押し込むと，正面板５１の下端が底板体５４から外れ，正面板５１は上枠体５０にぶら下がっているだけの状態となる（図１２）。そして正背２枚の正面板５１をいずれも蓋部材２に重ね合わせて上枠体５０に収納する。すると，側面においては上板５２と下板５３とが図１３に示すように蝶番状に屈曲する状態となる。これにより，収納容器１は図１１の折り畳み姿態となる。よって，折り畳み姿態の収納容器１にて蓋部材２の直下に位置するのは，正面板５１である。収納容器１の奥行き方向サイズと高さとの関係によっては，折り畳み姿態にて２枚の正面板５１の一部分または全部が重なり合う場合があるが，その場合にはどちらの正面板５１が蓋部材２の直下に位置してもよい。収納容器１を折り畳み姿態から図１等の伸開姿態にするときには，上記の手順を逆向きに行い，最後に正面板５１の下部を内側からやや強めに押し出して底板体５４の縁辺に固定すればよい。なお，折り畳み姿態のままでも，蓋部材２の開閉動作が可能である。
【００３４】
折り畳み姿態での収納容器１の内部の状況を，図１４に示す。図１４は，折り畳み姿態での収納容器１を図１１中のＤ−Ｄ位置で切断したものの斜視図である。図１４中でハッチングが付されている部分が切断面である。図１４を見ると，正面板５１に，退避箇所５１１が形成されていることが分かる。退避箇所５１１は，折り畳み姿態にて正面板５１と引っ掛け爪２３とが干渉することを防止するために形成されている。したがって退避箇所５１１は，正面板５１の板面の一部を他の部分に比して，折り畳み姿態にしたときに引っ掛け爪２３から遠ざかる方向となる向きに後退させた形状の部分である。これにより，引っ掛け爪２３が，収納容器１を折り畳み姿態にすることを阻害しないようになっている。
【００３５】
退避箇所５１１を設ける必要があるのは，正面板５１の全体が平板状であると折り畳み姿態にて正面板５１と引っ掛け爪２３とが干渉する場合である。各部材の形状によっては，特段に退避箇所５１１のような形状の箇所を設けなくても正面板５１と引っ掛け爪２３との干渉が生じないこともありうる。その場合にはむろん，あえて退避箇所５１１のような形状を設ける必要はない。ただしその場合でも，退避箇所５１１のように見える形状を設けてもかまわない。
【００３６】
続いて，本発明の変形例に係る形態を説明する。第１の変形例は，引っ掛け爪２３の形状に関する変形例である。前記形態での引っ掛け爪２３は，図３に示したように，端部２３０，中央部２３１，端部２３０が繋がって一体となっている形状のものであった。しかしこのようなものに限らず，図１５に示すように，端部２３０と中央部２３１との間にスリット２３２がある形状であってもよい。この形状の場合，前述の補強リブ２４は，端部２３０，中央部２３１，端部２３０の各々に設けられることが推奨される。
【００３７】
この場合，袋９０の取っ手部９１を，端部２３０，中央部２３１，端部２３０の全部ではなくいずれか１つまたは２つのみに掛けることも可能である。ただし，袋９０の開口を大きく開くという観点からは，端部２３０，中央部２３１，端部２３０の全体に対して掛けることが推奨される。また，取っ手部９１を，端部２３０，中央部２３１，端部２３０の全体に対して掛けつつ，スリット２３２に通して，中央部２３１のところで取っ手部９１が前面に出るようにすることもできる。このような掛け方をすると，取っ手部９１が，独りでに引っ掛け爪２３から外れてしまうことがさらに起こりにくい。ただし，取っ手部９１の引っ掛け作業自体はやや面倒である。また，このような掛け方をすることを前提とする場合には，前述した，端部２３０よりも中央部２３１がやや凹んでいることにはそれほど意味はない。
【００３８】
第２の変形例は，収納容器１における蓋部材２の枚数に関する変形例である。前記形態での収納容器は，２枚の蓋部材２で開口部を閉じる構成であった。しかしこのようなものに限らず，図１６に示すように，１枚の蓋部材２で開口部を閉じる構成の収納容器６０にも本発明の適用が可能である。この場合でも，蓋部材２の裏面側におけるヒンジ側付近に，引っ掛け爪２３を設けることができる。この場合，収納容器６０の本体部分の開口部における蓋部材２の対辺側付近に何らかの引っ掛け形状を設けることが考えられる。あるいは，その付近には特段の引っ掛け形状を設けないことも考えられる。いずれの場合でも，袋９０における一方の取っ手部９１についてだけではあるが，それでもある程度は上記の効果が得られる。
【００３９】
以上詳細に説明したように本形態によれば，袋９０の取っ手部９１を引っ掛ける引っ掛け爪２３を，容器本体３ではなく蓋部材２に設けている。そして引っ掛け爪２３を，蓋部材２と容器本体３との取り付け構造部分から遠ざかる方向へ突出する形状としている。このため，引っ掛け爪２３に取っ手部９１を掛けるに当たり容器本体３との取り付け構造からの制約を受けることがない。また，取り付けた取っ手部９１が簡単に引っ掛け爪から外れてしまうということもない。このようにして，内部に袋９０を装着しての使用がしやすく事業用にも家庭用にも好適に使用できる収納容器１が実現されている。
【００４０】
なお，本実施の形態は単なる例示にすぎず，本発明を何ら限定するものではない。したがって本発明は当然に，その要旨を逸脱しない範囲内で種々の改良，変形が可能である。例えば，本実施の形態では，収納容器１が前述の折り畳み機能を有し，折り畳み姿態では正面板５１が蓋部材２のすぐ下に来る構成であった。そして蓋部材２には，引っ掛け爪２３との干渉を防止する退避箇所５１１が形成されていた。しかしこのような構成に限らず，折り畳み姿態において，正面板５１でなく上板５２が蓋部材２のすぐ下に来る構成も可能である。その場合における退避箇所５１１に相当する箇所は，必要であれば上板５２に形成される。さらには，折り畳み機能自体，本発明に必須な訳ではない。折り畳み動作が不可能で，常時伸開姿態のままであるような収納容器であっても本発明の適用は可能である。
【００４１】
また，本実施の形態では，蓋部材２の開閉動作による回転可能な角度が２７０°にも及ぶものであった（図１，図２）。しかしこれは必須ではない。開閉動作の最大回転角はもっと狭くてもよい。また，蓋部材２を容器本体３から外してしまい，その後再度装着することが可能な構成であってもよい。また，本実施の形態では，３枚の袋９０を装着可能な収納容器１を示したが，このこともむろん必須ではない。本発明に係る収納容器に装着できる袋９０の枚数は，最低１枚であり，上限については特段の限定はない。
【００４２】
また，本実施の形態では，蓋部材２の裏面２９には周リブ２２が３辺にわたって形成されており，引っ掛け爪２３は周リブ２２の頂部に設けられていることとした。周リブ２２は，蓋部材２自体の剛性や閉状態での収納容器１の全体の剛性に資するものである。
【００４３】
また，周リブ２２を持つ蓋部材の場合であっても，周リブ２２とは別に引っ掛け爪２３を設けてもよい。その場合でもむろん，引っ掛け爪２３と蓋部材の裏面とは繋がっていなければならない。また，周リブ２２を利用する場合でも，周リブ２２の頂部ではなくその高さ方向の途中の位置に引っ掛け爪２３を設けてもよい。その場合にはさらに，引っ掛け爪２３のおもて面側にも補強リブ２４のような部分を設けることができる。
【符号の説明】
【００４４】
１      収納容器
２      蓋部材
２１    支持軸
２２    周リブ
２３    引っ掛け爪（袋掛け形状部）
２４    補強リブ
２９    蓋部材の裏面（内側面）
３０    第１辺
４０    第２辺
２３０  引っ掛け爪の端部
２３１  引っ掛け爪の中央部
５１１  退避箇所（干渉防止形状部）
【図１】
0006352127.tif 000002
【図２】
0006352127.tif 000003
【図３】
0006352127.tif 000004
【図４】
0006352127.tif 000005
【図５】
0006352127.tif 000006
【図６】
0006352127.tif 000007
【図７】
0006352127.tif 000008
【図８】
0006352127.tif 000009
【図９】
0006352127.tif 000010
【図１０】
0006352127.tif 000011
【図１１】
0006352127.tif 000012
【図１２】
0006352127.tif 000013
【図１３】
0006352127.tif 000014
【図１４】
0006352127.tif 000015
【図１５】
0006352127.tif 000016
【図１６】
0006352127.tif 000017